(57)【要約】【課題】奥行き感や立体感のある優れた意匠を備える表示装置を提供する。【解決手段】表示装置１は、主に、光を出力する光源部１０と、光源部１０から出力された光が入射する第１の光入射部１２と、表示パターン１３を所望の色で表示させるために第１の光入射部１２上に設けられた表示色部１４と、表示パターン１３に基づいた形状を有すると共に第１の光入射部１２及び表示色部１４を介して伝播する光の一部が透過する透過領域１５ａ、及び表示パターン１３の背景を形成する背景領域１５ｂ、を有して表示色部１４上に設けられた表示形成部１５と、表示形成部１５上に設けられ、光源部１０から出力された光が入射する第２の光入射部１６と、を備えて概略構成されている。【選択図】図２
2014182357.tif 000002
【特許請求の範囲】
【請求項１】
光を出力する光源部と、
前記光源部から出力された光が入射する第１の光入射部と、
表示対象を所望の色で表示させるために前記第１の光入射部上に設けられた表示色部と、
前記表示対象に基づいた形状を有すると共に前記第１の光入射部及び前記表示色部を介して伝播する光の一部が透過する透過領域、及び前記表示対象の背景を形成する背景領域、を有して前記表示色部上に設けられた表示形成部と、
前記表示形成部上に設けられ、前記光源部から出力された光が入射する第２の光入射部と、
を備えた表示装置。
【請求項２】
前記表示色部が設けられた前記第１の光入射部の第１の面の反対側の第２の面で、かつ、前記透過領域の下方に設けられ、前記第１の光入射部に伝播する光の一部を前記透過領域の方向に反射させる反射部を備えた請求項１に記載の表示装置。
【請求項３】
前記表示形成部と前記第２の光入射部との間に接着層を有する請求項１又は２に記載の表示装置。
【発明の詳細な説明】
【技術分野】
【０００１】
本発明は、表示装置に関する。
【背景技術】
【０００２】
従来の技術として、透光性を有する基材と、基材の裏面に設けられた警告色印刷層と、警告色印刷層に応じて基材の表面に形成された暗色半透明層と、暗色半透明層の周囲に設けられ、基材の内側に反射する光の光量を減少させる黒色印刷層と、表示させたい警告表示に応じて暗色半透明層に設けられた警告表示用スリットと、を備えた表示装置が知られている（例えば、特許文献１参照。）。
【０００３】
この表示装置は、警告色印刷層の下方に設けられた警告表示用電球から出力された光が、警告色印刷層、基材、暗色半透明層及び警告表示用スリットを介して外部に出力されて、警告表示が警告色で視認できるように構成されている。
【先行技術文献】
【特許文献】
【０００４】
【特許文献１】特開平９−１３８６６１号公報
【発明の概要】
【発明が解決しようとする課題】
【０００５】
しかし、従来の表示装置は、警告表示を明るく照明するために、警告表示用電球を警告色印刷層の下方に配置しているので、警告表示に奥行き感や立体感のある意匠を持たせるのは困難であった。
【０００６】
従って、本発明の目的は、奥行き感や立体感のある優れた意匠を備える表示装置を提供することにある。
【課題を解決するための手段】
【０００７】
本発明の一態様は、光を出力する光源部と、光源部から出力された光が入射する第１の光入射部と、表示対象を所望の色で表示させるために第１の光入射部上に設けられた表示色部と、表示対象に基づいた形状を有すると共に第１の光入射部及び表示色部を介して伝播する光の一部が透過する透過領域、及び表示対象の背景を形成する背景領域、を有して表示色部上に設けられた表示形成部と、表示形成部上に設けられ、光源部から出力された光が入射する第２の光入射部と、を備えた表示装置を提供する。
【発明の効果】
【０００８】
本発明によれば、奥行き感や立体感のある優れた意匠を備えることができる。
【図面の簡単な説明】
【０００９】
【図１】図１（ａ）は、実施の形態に係る表示装置の分解斜視図であり、（ｂ）は、表示装置の上面図である。
【図２】図２（ａ）は、実施の形態に係る表示装置の積層体を基板側から見た下面図であり、（ｂ）は、図１（ｂ）のII（ｂ）-II（ｂ）線で切断した断面を矢印方向から見た断面図であり、（ｃ）は、図１（ｂ）のII（ｃ）-II（ｃ）線で切断した断面を矢印方向から見た断面図であり、（ｄ）は、接着層が形成された変形例の概略図である。
【図３】図３（ａ）〜（ｄ）は、実施の形態に係る表示装置の製造工程を示す要部断面部である。
【発明を実施するための形態】
【００１０】
（実施の形態の要約）
実施の形態に係る表示装置は、光を出力する光源部と、光源部から出力された光が入射する第１の光入射部と、表示対象を所望の色で表示させるために第１の光入射部上に設けられた表示色部と、表示対象に基づいた形状を有すると共に第１の光入射部及び表示色部を介して伝播する光の一部が透過する透過領域、及び表示対象の背景を形成する背景領域、を有して表示色部上に設けられた表示形成部と、表示形成部上に設けられ、光源部から出力された光が入射する第２の光入射部と、を備える。
【００１１】
この表示装置は、第２の光入射部から入射した光の一部が表示形成部の背景領域に反射して保護部から出力されることで、背景が形成されるのに対し、第１の光入射部から入射した光の一部が表示色部、及び表示形成部の透過領域を介して第２の光入射部から出力されることで、表示対象が形成される。従って、この表示装置は、背景が第２の光入射部に入射した光により、間接的に照明されると共に、表示対象が第１の光入射部に入射した光により、下方から照明されて背景よりも輝度が高くなるので、奥行き感や立体感のある優れた意匠を備えることができる。
【００１２】
[実施の形態]
（表示装置１の構成）
図１（ａ）は、実施の形態に係る表示装置の分解斜視図であり、（ｂ）は、表示装置の上面図である。図２（ａ）は、実施の形態に係る表示装置の積層体を基板側から見た下面図であり、（ｂ）は、図１（ｂ）のII（ｂ）-II（ｂ）線で切断した断面を矢印方向から見た断面図であり、（ｃ）は、図１（ｂ）のII（ｃ）-II（ｃ）線で切断した断面を矢印方向から見た断面図であり、（ｄ）は、接着層が形成された変形例の概略図である。なお、実施の形態に係る各図において、図形間の比率は、実際の比率とは異なる場合がある。
【００１３】
この表示装置１は、一例として、車両に搭載される操作装置の一部を構成するものである。この操作装置は、一例として、車両に搭載されたモニタに表示されたカーソル等を操作できるように構成されている。表示装置１は、例えば、操作装置の操作部に相当する部分に設けられているが、これに限定されない。
【００１４】
表示装置１は、図１（ａ）、（ｂ）及び図２（ａ）〜（ｃ）に示すように、主に、光を出力する光源部１０と、光源部１０から出力された光が入射する第１の光入射部１２と、表示対象としての表示パターン１３を所望の色で表示させるために第１の光入射部１２上に設けられた表示色部１４と、表示パターン１３に基づいた形状を有すると共に第１の光入射部１２及び表示色部１４を介して伝播する光の一部が透過する透過領域１５ａ、及び表示パターン１３の背景を形成する背景領域１５ｂ、を有して表示色部１４上に設けられた表示形成部１５と、表示形成部１５上に設けられ、光源部１０から出力された光が入射する第２の光入射部１６と、を備えて概略構成されている。
【００１５】
また、表示装置１は、表示色部１４が設けられた第１の光入射部１２の第１の面１２１の反対側の第２の面１２２で、かつ、透過領域１５ａの下方に設けられ、第１の光入射部１２に伝播する光の一部を透過領域１５ａの方向に反射させる反射部１８を備えて概略構成されている。
【００１６】
以下では、第１の光入射部１２、表示色部１４、表示形成部１５及び第２の光入射部１６が一体となったものを積層体１１と呼ぶものとする。この積層体１１の表面は、第２の光入射部１６の表面１６ａであり、この表面１６ａの反対の面側には、基板２が設けられている。
【００１７】
（基板２の構成）
基板２は、例えば、矩形状に形成されたプリント配線基板である。この基板２の設置面２ａには、図１（ａ）に示すように、矩形状を有するタッチセンサ部２００が設けられている。このタッチセンサ部２００は、例えば、静電容量方式のタッチセンサを含んで構成されている。タッチセンサ部２００は、積層体１１の表面１６ａになされた操作を検出するように構成されている。この基板２には、タッチセンサ部２００の一辺に、光源部１０が配置されている。
【００１８】
（光源部１０の構成）
光源部１０は、一例として、発光素子１０ａ〜発光素子１０ｆを備えて概略構成されている。この発光素子１０ａ〜発光素子１０ｆは、一例として、発光ダイオード（ＬＥＤ：Light Emitting Diode）である。なお、発光素子の種類及び数は、上記に限定されず、用途に応じて変更可能である。
【００１９】
光源部１０は、積層体１１の側面である光入射面１１０から第１の光入射部１２及び第２の光入射部１６の内部に光を出力するように構成されている。この光入射面１１０は、図２（ｃ）に示すように、主に、第１の光入射部１２の側面１２０、及び第２の光入射部１６の側面１６０により構成されている。
【００２０】
光源部１０の発光素子１０ａ〜発光素子１０ｆは、タッチセンサ部２００の一辺に沿うように、予め定められた間隔で並んで配置されている。発光素子１０ａ〜発光素子１０ｆは、その光軸が、実質的に設置面２ａの法線と直交するように、また、積層体１１の長手方向の側面である光入射面１１０に向けて光が出力できるように配置されている。
【００２１】
発光素子１０ａ〜発光素子１０ｆは、表示装置１に表示させる表示パターン１３の色に応じた光を出力するように構成されている。本実施の形態では、一例として、表示パターン１３は、白系の色で発光させるため、発光素子１０ａ〜発光素子１０ｆは、白系の光を出力する発光ダイオードを用いて構成されている。
【００２２】
（第１の光入射部１２の構成）
第１の光入射部１２は、光源部１０から出力された光を透過する、すなわち、第１の光入射部１２の内部に光を伝播させるように構成されている。従って、第１の光入射部１２は、一例として、光の外部透過率が高い（およそ９０％程度）、ＭＢＳ（メチルメタクリレートブタジエンスチレン共重合体）樹脂、透明ＡＢＳ（アクリロニトリルブタジエンスチレン共重合体）樹脂、ＳＢＣ（スチレンブロック共重合体）樹脂、ＰＣ（ポリカーボネート）樹脂及びＰＥＴ（ポリエチレンテレフタレート）樹脂等を用いて形成される。
【００２３】
この第１の光入射部１２は、透明な板状の部材である。本実施の形態の第１の光入射部１２は、一例として、ポリカーボネート樹脂を用いて形成される。この第１の光入射部１２の厚みは、一例として、０．７ｍｍである。なお、第１の光入射部１２の変形例としては、例えば、入射した光が拡散する物質を含んで構成されても良い。
【００２４】
（表示パターン１３の構成）
表示パターン１３は、図１（ｂ）に示すように、例えば、表示パターン１３ａ〜表示パターン１３ｄから概略構成されている。この表示パターン１３ａ〜表示パターン１３ｄは、角が丸みを帯びた幅のある細長い線形状を有している。
【００２５】
表示パターン１３ａは、図１（ｂ）の紙面左に図示された強照明領域１３０の下方に形成された透過領域１５ａ等を介して第２の光入射部１６から出力した光により主に形成される。表示パターン１３ｂは、この表示パターン１３ａを図１（ｂ）の紙面において時計回りに９０°回転させた位置に形成される。
【００２６】
表示パターン１３ｂは、図１（ｂ）の紙面上に図示された強照明領域１３１の下方に形成された反射部１８を反射して透過領域１５ａ等を介して第２の光入射部１６から出力した光により主に形成される。表示パターン１３ｃは、この表示パターン１３ｂを時計回りに９０°回転させた位置に形成される。
【００２７】
表示パターン１３ｃは、図１（ｂ）の紙面右に図示された強照明領域１３２の下方に形成された透過領域１５ａ等を介して第２の光入射部１６から出力した光により主に形成される。表示パターン１３ｄは、この表示パターン１３ｃを時計回りに９０°回転させた位置に形成される。
【００２８】
表示パターン１３ｄは、図１（ｂ）の紙面下に図示された強照明領域１３３の下方に形成された透過領域１５ａ等を介して第２の光入射部１６から出力した光により主に形成される。表示パターン１３ａは、この表示パターン１３ｄを時計回りに９０°回転させた位置に形成される。つまり、本実施の形態における表示パターン１３は、一例として、４つの細長い線が、交わらないように十字に配置されたものである。
【００２９】
この第２の光入射部１６等を介して表示される表示パターン１３は、例えば、白系の色を有している。この表示パターン１３は、光源部１０による照明が行われない状態でも第２の光入射部１６等を介して視認可能となっている。
【００３０】
強照明領域１３０〜強照明領域１３３の周囲の弱照明領域１３５は、表示パターン１３の背景であり、強照明領域１３０〜強照明領域１３３よりも弱く照明される領域である。この弱照明領域１３５の色は、背景領域１５ｂの色が、主に反映されている。
【００３１】
具体的には、弱照明領域１３５は、背景領域１５ｂを反射した光の一部が、第２の光入射部１６から出力することで弱い照明がなされる領域である。また、強照明領域１３０〜強照明領域１３３は、透過領域１５ａを透過した光の一部が、第２の光入射部１６から出力することで、弱照明領域１３５よりも強い照明がなされる領域である。
【００３２】
（表示色部１４の構成）
表示色部１４は、例えば、印刷によって、第１の光入射部１２の第１の面１２１に形成される。この印刷は、例えば、スクリーン印刷法及びインクジェット印刷法等の印刷法を用いて行われる。また、印刷に用いられるインクは、上記の印刷法と、表示パターン１３を所望の色に表示させるように選択される。この表示色部１４の厚みは、一例として、８μｍである。
【００３３】
この表示色部１４は、例えば、光が透過するように構成されている。表示パターン１３の色は、主に、光が表示色部１４を透過することによるものである。
【００３４】
（表示形成部１５の構成）
表示形成部１５は、透過領域１５ａと、背景領域１５ｂと、を備えて概略構成されている。この透過領域１５ａと背景領域１５ｂとは、例えば、印刷によって、表示色部１４の第１の光入射部１２側とは反対側の面である第３の面１４０に形成される。この印刷は、例えば、スクリーン印刷法及びインクジェット印刷法等の印刷法を用いて行われる。
【００３５】
透過領域１５ａは、例えば、印刷がなされない領域である。つまり、背景領域１５ｂが印刷により形成され、透過領域１５ａは、印刷された領域に囲まれた領域として形成される。従って、印刷に用いられるインクは、上述の印刷法と、背景の色等に応じて選択される。この表示形成部１５の厚みは、一例として、８μｍである。
【００３６】
この背景領域１５ｂは、例えば、光が透過しない黒系の色のインクを用いて形成されている。従って、弱照明領域１３５は、例えば、黒色の背景が間接的に照明されたように見える。つまり、第２の光入射部１６の内部を反射しながら伝播する光１０２は、図２（ｃ）に示すように、その一部が、第２の光入射部１６と背景領域１５ｂとの実質的な境界面となる表示形成部１５の第４の面１５０において反射し、第２の光入射部１６から出力して弱照明領域１３５を形成する。
【００３７】
一方、第１の光入射部１２の内部を反射しながら伝播する光１０１は、図２（ｃ）に示すように、その一部が、基板２と第１の光入射部１２の実質的な境界面となる第２の面１２２において反射し、表示色部１４、透過領域１５ａ及び第２の光入射部１６を介して出力して強照明領域１３０〜強照明領域１３３、つまり表示パターン１３ａ〜表示パターン１３ｄを形成する。
【００３８】
ここで、図１（ｂ）及び図２（ａ）に示すように、表示パターン１３ｂは、光源部１０から離れた位置に配置される。従って、表示パターン１３ｂは、例えば、他の表示パターン１３ａ、表示パターン１３ｃ及び表示パターン１３ｄと比べて、輝度が低くなる可能性がある。そこで、反射部１８が、表示パターン１３ｂの下方の第１の光入射部１２の第２の面１２１に設けられている。第１の光入射部１２の内部を反射しながら伝播する光１０１は、その一部が、表示パターン１３ｂの下方において第１の光入射部１２と反射部１８との実質的な境界面である反射面１８０において反射し、表示色部１４、表示形成部１５の透過領域１５ａ及び第２の光入射部１６を介して出力して強照明領域１３１を形成する。
【００３９】
（第２の光入射部１６の構成）
第２の光入射部１６は、第１の光入射部１２と同様に、光源部１０から出力された光を透過するように構成されている。従って、第２の光入射部１６は、一例として、光の外部透過率が高い（およそ９０％程度）、ＭＢＳ樹脂、透明ＡＢＳ樹脂、ＳＢＣ樹脂、ＰＣ樹脂及びＰＥＴ樹脂等を用いて形成される。
【００４０】
この第２の光入射部１６は、透明な板状の部材である。本実施の形態の第２の光入射部１６は、一例として、ポリカーボネート樹脂を用いて形成される。この第２の光入射部１６の厚みは、一例として、０．３ｍｍである。なお、第２の光入射部１６の変形例としては、例えば、入射した光が拡散する物質を含んで構成されても良い。
【００４１】
さらに、第２の光入射部１６は、例えば、指の滑りを良くするために、表面１６ａにシボ加工が施されている。第２の光入射部１６は、表面１６ａにシボ加工が施されているので、シボ加工が施されていない場合と比べて、光を表示形成部１５の方向に反射し易くなっている。さらに、第２の光入射部１６は、一例として、帯電防止性及びＵＶ（UltraViolet）吸収性等を有するＵＶハードコートが施されている。このＵＶハードコートの厚みは、一例として、２０μｍである。
【００４２】
（反射部１８の構成）
反射部１８は、例えば、上述の印刷法等の印刷法を用いて形成される。また、印刷に用いられるインクは、上述の印刷法と、表示パターン１３の色等に応じて選択される。この反射部１８の厚みは、一例として、２０μｍである。
【００４３】
本実施の形態では、表示パターン１３ｂが、他の表示パターン１３ａ、表示パターン１３ｃ及び表示パターン１３ｄと比べて、光源部１０から離れた位置に形成される。従って、表示パターン１３ｂは、光源部１０からの光が届きにくく、他の表示パターン１３ａ、表示パターン１３ｃ及び表示パターン１３ｄと比べて、輝度が低くなる可能性がある。
【００４４】
また、第１の光入射部１２は、基板２側に配置されている。従って、第１の光入射部１２の内部を反射しながら伝播する光は、例えば、その一部が、基板２に吸収される。
【００４５】
以上のことから、反射部１８は、表示パターン１３ａ〜表示パターン１３ｄの輝度が均一となるように調整する目的で形成される。従って、反射部１８は、輝度が低くなる表示パターンの下方に配置されることが好ましい。当該配置により、第１の光入射部１２を伝播して反射部１８に到達した光は、基板２への吸収を抑制されて、透過領域１５ａを通過する光束を増加させることが可能となる。
【００４６】
また、反射部１８は、図２（ａ）に示すように、複数の丸いドットにより形成されている。さらに、このドットは、光源部１０からの距離に応じて大きさが異なるように形成される。つまり、反射部１８は、光源部１０から離れるに従って、単位面積当たりの専有面積が大きくなるように配置されている。従って、反射部１８は、光源部１０からの距離に応じてグラデーションが形成されるように、ドットが小さいものから大きくなるように配置されている。なお、反射部１８の形状は、ドットに限定されず、任意である。
【００４７】
（変形例について）
変形例として表示装置１は、例えば、図２（ｄ）に示すように、少なくとも表示形成部１５と第２の光入射部１６との間に接着層１９が設けられても良い。この接着層１９は、例えば、外部透過率が高い、アクリル樹脂を主成分とする接着剤、及び両面テープ等が用いられる。
【００４８】
以下に、本実施の形態に係る表示装置１の照明について説明する。
【００４９】
（表示装置１の照明について）
表示装置１は、図２（ｃ）に示すように、駆動に必要な電力が供給された後、光源部１０が光を出力する。
【００５０】
光源部１０から出力された光は、主に、側面１２０から第１の光入射部１２に入射すると共に、側面１６０から第２の光入射部１６に入射する。
【００５１】
第１の光入射部１２を伝播する光１０１の一部は、基板２と第１の光入射部１２の実質的な境界面となる第２の面１２２、及び第１の光入射部１２と表示色部１４の実質的な境界面となる第１の面１２１で反射を繰り返しながら伝播する。この光１０１の一部が、表示パターン１３ａ〜表示パターン１３ｄの下方に形成された透過領域１５ａを介して第２の光入射部１６から出力する。この第２の光入射部１６から出力した光が、強照明領域１３０〜強照明領域１３３、つまり表示パターン１３ａ〜表示パターン１３ｄを形成する。
【００５２】
一方、第２の光入射部１６を伝播する光１０２の一部は、大気と第２の光入射部１６の実質的な境界面となる表面１６ａ、及び第２の光入射部１６と表示形成部１５の実質的な境界面となる第４の面１５０において、反射を繰り返しながら伝播する。この反射を繰り返しながら伝播する光１０２の一部が、第２の光入射部１６から出力して弱照明領域１３５を形成する。
【００５３】
従って、弱照明領域１３５が、間接的な照明で弱く照明される。また、強照明領域１３０〜強照明領域１３３は、間接的な照明でありながら弱照明領域１３５よりも強く照明されると共に、下方から上方に向けて照明されたような状態であることから、奥行き感や立体感のある表示となる。
【００５４】
以下に、表示装置１の製造工程の一例を示す。
【００５５】
（表示装置１の製造工程）
図３（ａ）〜（ｄ）は、実施の形態に係る表示装置の製造工程を示す要部断面部である。図３（ａ）〜（ｄ）は、表示装置１の製造工程を、図１（ｂ）のII（ｂ）-II（ｂ）で切断した断面を要部断面として示している。
【００５６】
まず、図３（ａ）に示すように、第２の面１２２が上向きとされた第１の光入射部１２を用意し、第２の面１２２に反射部１８を印刷により形成する。
【００５７】
次に、図３（ｂ）に示すように、第１の面１２１が上向きとなるように第１の光入射部１２の向きをかえ、第１の面１２１に印刷により表示色部１４を形成する。
【００５８】
次に、図３（ｃ）に示すように、表示色部１４上に印刷により表示形成部１５の透過領域１５ａ及び背景領域１５ｂを形成する。
【００５９】
次に、図３（ｄ）に示すように、表示形成部１５上に第２の光入射部１６を取り付けて積層体１１を形成して表示装置１を得る。なお、この表示形成部１５と第２の光入射部１６との間に、変形例の接着層１９を設けても良い。
【００６０】
（実施の形態の効果）
本実施の形態に係る表示装置１は、奥行き感や立体感のある優れた意匠を備えることができる。具体的には、この表示装置１は、第２の光入射部１６から入射した光１０２の一部が表示形成部１５の背景領域１５ｂに反射して第２の光入射部１６から出力されることで、背景（弱照明領域１３５）が形成されるのに対し、第１の光入射部１２から入射した光１０１の一部が表示色部１４、及び表示形成部１５の透過領域１５ａを介して第２の光入射部１６から出力されることで、表示パターン１３が形成される。従って、この表示装置１は、背景が第２の光入射部１６に入射した光１０２により、間接的に照明されると共に、表示パターン１３が第１の光入射部１２に入射した光１０１により、下方から照明されて背景よりも輝度が高くなるので、奥行き感や立体感のある優れた意匠を備えることができる。
【００６１】
この表示装置１は、反射部１８が形成されているので、表示パターン１３ａ〜表示パタン１３ｄの輝度をほぼ均一にすることができる。
【００６２】
この表示装置１は、奥行き感や立体感のある意匠を表現するための構成が簡単であるので、照明の角度等を調整することで奥行き感等を演出するものと比べて、製造コストを抑制することができる。
【００６３】
この表示装置１は、積層体１１の側面に光源部１０が配置されるので、下方から照明する場合と比べて、間接的な照明の効果が得られる。また表示装置１は、側面から光を入射するにも関わらず、強照明領域１３０〜強照明領域１３３、及び弱照明領域１３５を形成することができるので、表示に変化が生まれ意匠に優れている。
【００６４】
なお、他の変形例として、表示装置１は、光入射面１１０以外の側面に、光を反射する反射部材を設けても良い。この表示装置１は、光入射面１１０以外の側面に到達した光が反射されるので、背景や表示パターン１３の照明むらが抑制される。
【００６５】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００６６】
１…表示装置
２…基板
２ａ…設置面
１０…光源部
１０ａ〜１０ｆ…発光素子
１１…積層体
１２…第１の光入射部
１３，１３ａ〜１３ｄ…表示パターン
１４…表示色部
１５…表示形成部
１５ａ…透過領域
１５ｂ…背景領域
１６…第２の光入射部
１６ａ…表面
１７…保護部
１８…反射部
１９…接着層
１０１，１０２…光
１１０…光入射面
１２０…側面
１２１…第１の面
１２２…第２の面
１３０〜１３３…強照明領域
１３５…弱照明領域
１４０…第３の面
１５０…第４の面
１６０…側面
１８０…反射面
２００…タッチセンサ部
【図１】
2014182357.tif 000003
【図２】
2014182357.tif 000004
【図３】
2014182357.tif 000005